(57)【要約】    【課題】  光源ランプの光軸を調整するための複雑な機構を必要とせず、そのために大きな設置スペースや調整スペースを必要とせず、製造コストを高くすることもない光源装置の光軸調整方法を提供する。    【解決手段】  筐体１１６に対する光源ランプ１１０の光軸の角度を調整する光源装置の光軸調整方法であって、筐体１１６として、光源ランプ１１０の背面から光源ランプ１１０を支持する４つの光源ランプ受け部を有する筐体を用い、筐体１１６の当該４つの光源ランプ受け部のうち隣接する任意の２つの光源ランプ受け部に跨って配置可能な万能スペーサ１６０を準備しておき、少なくとも１つの万能スペーサ１６０を筐体１１６と光源ランプ１１０との間に配置した状態で筐体１１６に対して光源ランプ１１０を固定することによって、筐体１１６に対する光源ランプ１１０の光軸の角度を調整することを特徴とする光源装置の光軸調整方法。【選択図】  図３
2006126391.tif 000002
【特許請求の範囲】
【請求項１】
発光管及びリフレクタを有する光源ランプと、前記光源ランプを収納する筐体とを備えた光源装置における、前記筐体に対する前記光源ランプの光軸の角度を調整する光源装置の光軸調整方法であって、
前記筐体として、前記光源ランプの背面から前記光源ランプを支持する４つの光源ランプ受け部を有する筐体を用い、
前記筐体の前記４つの光源ランプ受け部のうち隣接する任意の２つの光源ランプ受け部に跨って配置可能な第１のスペーサ、第２のスペーサ、第３のスペーサ及び第４のスペーサを準備しておき、これら第１のスペーサ、第２のスペーサ、第３のスペーサ及び第４のスペーサのうち少なくとも１つのスペーサを前記筐体と前記光源ランプとの間に配置した状態で前記筐体に対して前記光源ランプを固定することによって、前記筐体に対する前記光源ランプの光軸の角度を調整することを特徴とする光源装置の光軸調整方法。
【請求項２】
請求項１に記載の光源装置の光軸調整方法において、
前記第１のスペーサ、第２のスペーサ、第３のスペーサ及び第４のスペーサとして、同一平面形状の万能スペーサを用いることを特徴とする光源装置の光軸調整方法。
【請求項３】
請求項２に記載の光源装置の光軸調整方法において、
前記万能スペーサには、少なくとも１つのねじ穴又はねじ用凹部が設けられていることを特徴とする光源装置の光軸調整方法。
【請求項４】
請求項１〜３のいずれかに記載の光源装置の光軸調整方法において、
前記第１のスペーサ、第２のスペーサ、第３のスペーサ及び第４のスペーサ又は前記万能スペーサは、０．０５〜１．５ｍｍの肉厚を有することを特徴とする光源装置の光軸調整方法。
【請求項５】
請求項１〜４のいずれかに記載の光源装置の光軸調整方法において、
前記第１のスペーサ、第２のスペーサ、第３のスペーサ及び第４のスペーサ又は前記万能スペーサは、アルミニウム、ステンレス、ポリイミド樹脂等の耐熱性材料からなることを特徴とする光源装置の光軸調整方法。
【請求項６】
請求項１〜５のいずれかに記載の光源装置の光軸調整方法を用いて光源装置の光軸調整がなされた光源装置。
【請求項７】
請求項６に記載の光源装置及び前記光源装置からの光の面内光強度分布を均一化するインテグレータ光学系を有する照明光学系と、前記照明光学系からの光を画像情報に応じて変調する電気光学変調装置と、前記電気光学変調装置で変調された光を投写する投写光学系とを備えたことを特徴とするプロジェクタ。
【発明の詳細な説明】
【技術分野】
【０００１】
本発明は、光源装置の光軸調整方法、光源装置及びプロジェクタに関する。 
【背景技術】
【０００２】
図７は、一般的なプロジェクタの照明光学系を説明するために示す図である。光源ランプ１は、放物面リフレクタ２及び発光管３を有している。発光管３の発光中心４は、放物面リフレクタ２の焦点位置に配置されている。このため、発光管３から放射された光は、放物面リフレクタ２で反射されて略平行光となって、第１レンズアレイ１９、第２レンズアレイ２０及び重畳レンズ２１からなるインテグレータ光学系に向けて射出されることになる。
【０００３】
このような光源ランプ１を有するプロジェクタにおいては、光源ランプ１の光軸と、インテグレータ光学系の光軸とが一致しない場合には、光源ランプ１からの光が有効に利用されなくなり、光利用効率が低下する。この理由は、光源ランプ１の光軸と、インテグレータ光学系の光軸とが一致しない場合には、第１レンズアレイ１９の第１小レンズで分割された各部分光束が、対応する第２レンズアレイ２０の各第２小レンズに正しく入らなくなるからである。このことは、光源ランプ１の光軸とインテグレータ光学系の光軸との角度が一致しない場合に特に顕著なものとなる。
【０００４】
図８は、従来の光源装置の光軸調整方法を示す図である。従来の光源装置の光軸調整方法は、図８に示すように、光源ランプ１を収納する筐体１４，１６に対する光源ランプ１の光軸の角度を、偏心カム１２と偏心ドライバ２３を用いて、Ｘ軸回り及びＹ軸回りに調整することにより行うことととしている。このため、従来の光源装置の光軸調整方法によれば、光源ランプ１の光軸（Ｚ軸）に直交する２軸（Ｘ軸及びＹ軸）を回転軸として光源ランプの光軸の角度を調整することができるため、良好な角度調整が可能になる（例えば、特許文献１参照。）。
【０００５】
【特許文献１】特開２００３−３３０１１４号公報
【発明の開示】
【発明が解決しようとする課題】
【０００６】
しかしながら、上記した光源装置の光軸調整方法においては、図８からもわかるように、光源ランプの光軸調整のための機構が複雑であって、大きな設置スペース、調整スペースを必要とするとともに、製造コストが高くなるという問題があった。
【０００７】
そこで、本発明は、このような問題を解決するためになされたもので、光源ランプの光軸を調整するための複雑な機構を必要とせず、そのために大きな設置スペースや調整スペースを必要とせず、製造コストを高くすることもない光源装置の光軸調整方法を提供することを目的とする。また、このような光源装置の光軸調整方法によって調整された光源装置を提供することを目的とする。さらにまた、このような光源装置を備えたプロジェクタを提供することを目的とする。
【課題を解決するための手段】
【０００８】
本発明の光源装置の光軸調整方法は、発光管及びリフレクタを有する光源ランプと、前記光源ランプを収納する筐体とを備えた光源装置における、前記筐体に対する前記光源ランプの光軸の角度を調整する光源装置の光軸調整方法であって、前記筐体として、前記光源ランプの背面から前記光源ランプを支持する４つの光源ランプ受け部を有する筐体を用い、前記筐体の前記４つの光源ランプ受け部のうち隣接する任意の２つの光源ランプ受け部に跨って配置可能な第１のスペーサ、第２のスペーサ、第３のスペーサ及び第４のスペーサを準備しておき、これら第１のスペーサ、第２のスペーサ、第３のスペーサ及び第４のスペーサのうち少なくとも１つのスペーサを前記筐体と前記光源ランプとの間に配置した状態で前記筐体に対して前記光源ランプを固定することによって、前記筐体に対する前記光源ランプの光軸の角度を調整することを特徴とする。
【０００９】
このため、本発明の光源装置の光軸調整方法によれば、少なくとも１つのスペーサを筐体と光源ランプとの間に配置した状態で筐体に対して光源ランプを固定するだけで、筐体に対する光源ランプの光軸の角度を調整することができるようになる。
なお、光源ランプにおける光軸の角度の偏倚量は、同一ロットの光源ランプ間でほぼ一定の値となるため、同一ロットの光源ランプであれば、４つの光源ランプ受け部のうちのどの部分にスペーサを配置すればよいかもある程度予想がつく。このため、上記調整作業は極めて容易なものとなる。
【００１０】
その結果、本発明の光源装置の光軸調整方法は、光源ランプの光軸を調整するための複雑な機構を必要とせず、そのために大きな設置スペースや調整スペースを必要とせず、製造コストを高くすることもない光源装置の光軸調整方法となる。
【００１１】
なお、本発明の光源装置の光軸調整方法においては、４つの光源ランプ受け部のうち隣接するある特定の２つの光源ランプ受け部に跨って１つのスペーサを配置することのほか、このスペーサに直交するように別のスペーサを配置することもできる。これにより、光源ランプの光軸を任意の角度だけ調整することができる。
【００１２】
本発明の光源装置の光軸調整方法においては、前記第１のスペーサ、第２のスペーサ、第３のスペーサ及び第４のスペーサとして、同一平面形状の万能スペーサを用いることが好ましい。
【００１３】
このような方法とすることにより、同一平面形状を有する万能スペーサを準備するだけで、筐体に対する光源ランプの光軸の角度を調整することができるため、上記調整作業をさらに容易なものとすることができる。
【００１４】
本発明の光源装置の光軸調整方法においては、前記万能スペーサには、少なくとも１つのねじ穴又はねじ用凹部が設けられていることが好ましい。
【００１５】
このような方法とすることにより、万能スペーサのねじ穴又はねじ用凹部を介して、筐体に対して光源ランプをねじ締め固定することができるため、上記調整作業をさらに容易なものとすることができる。
この場合、４つの光源ランプ受け部のうちのどの部分に万能スペーサを配置する場合であっても、ねじ締めができるように、ねじ穴又はねじ用凹部を設けることが好ましい。
【００１６】
本発明の光源装置の光軸調整方法においては、前記第１のスペーサ、第２のスペーサ、第３のスペーサ及び第４のスペーサ又は前記万能スペーサは、０．０５〜１．５ｍｍの肉厚を有することが好ましい。
【００１７】
このような方法とすることにより、必要なスペーサを筐体と光源ランプとの間に配置した状態で筐体に対して光源ランプを固定することによって、筐体に対する光源ランプの光軸の角度を調整することができる。
この場合、第１のスペーサ、第２のスペーサ、第３のスペーサ及び第４のスペーサ又は万能スペーサとして、肉厚の異なるものを複数種類準備しておき、そのうち、角度調整量に応じた適当なものを選択して用いるようにしてもよいし、第１のスペーサ、第２のスペーサ、第３のスペーサ及び第４のスペーサ又は万能スペーサとして、肉厚の薄いものを１種類準備しておき、角度調整量に応じた枚数を用いるようにしてもよい。
また、本発明の光源装置の光軸調整方法においては、前記第１のスペーサ、第２のスペーサ、第３のスペーサ及び第４のスペーサ又は前記万能スペーサは、０．１〜１．０ｍｍの肉厚を有することがより好ましい。
【００１８】
本発明の光源装置の光軸調整方法においては、前記第１のスペーサ、第２のスペーサ、第３のスペーサ及び第４のスペーサ又は前記万能スペーサは、アルミニウム、ステンレス、ポリイミド樹脂等の耐熱性材料からなることが好ましい。
【００１９】
光源ランプの点灯中、光源ランプは極めて高温になる。このため、前記第１のスペーサ、第２のスペーサ、第３のスペーサ及び第４のスペーサ又は前記万能スペーサは、アルミニウム、ステンレス、ポリイミド樹脂等の耐熱性材料からなることが好ましい。
【００２０】
本発明の光源装置は、上記した本発明の光源装置の光軸調整方法を用いて光源装置の光軸調整がなされた光源装置である。
【００２１】
このため、本発明の光源装置は、光源ランプの光軸を調整するための複雑な機構を必要とせず、そのために大きな設置スペースや調整スペースを必要とせず、製造コストを高くすることもない光源装置の光軸調整方法によって調整された光源装置であるため、小型でコストの安価な光源装置となる。
【００２２】
本発明のプロジェクタは、上記した本発明の光源装置及び前記光源装置からの光の面内光強度分布を均一化するインテグレータ光学系を有する照明光学系と、前記照明光学系からの光を画像情報に応じて変調する電気光学変調装置と、前記電気光学変調装置で変調された光を投写する投写光学系とを備えたことを特徴とする。
【００２３】
このため、本発明のプロジェクタによれば、小型でコストの安価な光源装置を有する照明光学系を備えているため、小型でコストの安価なプロジェクタとなる。
【発明を実施するための最良の形態】
【００２４】
以下、本発明の光源装置の光軸調整方法、光源装置及びプロジェクタについて、図に示す実施の形態に基づいて説明する。
【００２５】
〔実施形態１〕
図１は、実施形態１に係るプロジェクタ１０００及び光源装置１０２を説明するために示す図である。
なお、以下の説明においては、互いに直交する３つの方向をそれぞれｚ軸方向（図１における照明光軸１００ａｘ方向）、ｘ軸方向（図１における紙面に平行かつｚ軸に直交する方向）及びｙ軸方向（図１における紙面に垂直かつｚ軸に直交する方向）とする。
【００２６】
実施形態１に係るプロジェクタ１０００は、図１に示すように、照明光学系１００と、照明光学系１００からの光を画像情報に応じて変調する電気光学変調装置としての液晶装置４００Ｒ，４００Ｇ，４００Ｂと、液晶装置４００Ｒ，４００Ｇ，４００Ｂで変調された光を投写する投写光学系６００とを備えたプロジェクタである。
【００２７】
照明光学系１００は、光源装置１０２と、光源装置１０２からの光の強度分布を均一にするための第１レンズアレイ１２０及び第２レンズアレイ１３０と、第２レンズアレイ１３０からの非偏光の光を偏光光に変換する偏光変換素子１４０と、偏光変換素子１４０からの光を被照明領域上で重畳する重畳レンズ１５０とを有している。
光源装置１０２は、発光管１１２及びリフレクタとしての放物面リフレクタ１１４を有する光源ランプ１１０と、光源ランプ１１０を収納する筐体１１６とを備えている。筐体１１６の前面部には、図１及び図２（ｂ）に示すように、前面ガラス１１７が配設されている。
【００２８】
照明光学系１００と液晶装置４００Ｒ，４００Ｇ，４００Ｂとの間には、照明光学系１００からの光を赤色光、緑色光及び青色光に分離して３つの液晶装置４００Ｒ，４００Ｇ，４００Ｂに導くための色分離導光光学系２００が設けられている。この色分離導光光学系２００は、２つのダイクロイックミラー２１０，２２０と、３つのミラー２３０，３２０，３４０と、リレーレンズ３１０，３３０とを有している。液晶装置４００Ｒ，４００Ｇ，４００Ｂの直前などにはフィールドレンズ２４０Ｂ，２４０Ｇ，３５０が配置されている。
【００２９】
液晶装置４００Ｒ，４００Ｇ，４００Ｂにおいて変調された各色光は、クロスダイクロイックプリズム５００で合成される。クロスダイクロイックプリズム５００において生成された合成光は、投写光学系６００に向かって射出される。
【００３０】
投写光学系６００は、クロスダイクロイックプリズム５００からの合成光を表示画像として投写面に投写するように構成されている。
【００３１】
図２は、実施形態１に係る光源装置１０２を説明するために示す図である。図２（ａ）は光源装置１０２の正面図であり、図２（ｂ）は図２（ａ）のＡ−Ａ断面図である。図３は、実施形態１に係る光源装置１０２の分解斜視図である。図４は、実施形態１に係る光源装置の光軸調整方法に用いる筐体１１６及び万能スペーサ１６０を示す図である。図４（ａ）は筐体１１６に万能スペーサ１６０を配置した状態を説明するために示す模式図であり、図４（ｂ）は万能スペーサ１６０の平面図であり、図４（ｃ）は万能スペーサ１６０の側面図である。図５は、実施形態１に係る光源装置１０２の光軸調整方法を説明するために示す図である。
なお、図３及び図４（ａ）においては、説明を容易にするために、筐体１１６には万能スペーサ１６０が図のように２つ配置された状態を図示している。
【００３２】
上記したように、実施形態１に係る光源装置１０２は、図１及び図２に示すように、発光管１１２及び放物面リフレクタ１１４を有する光源ランプ１１０と、光源ランプ１１０を収納する筐体１１６とを備えた光源装置である。
実施形態１に係る光源装置１０２においては、筐体１１６に対する光源ランプ１１０の光軸１１０ａｘの角度を調整することによって光源装置の光軸調整を行うものである。以下、実施形態１に係る光源装置の光軸調整方法を詳細に説明する。
【００３３】
実施形態１に係る光源装置の光軸調整方法においては、図２〜図４に示すように、筐体１１６として、光源ランプ１１０の背面から光源ランプ１１０を支持する４つの光源ランプ受け部１１８，１１８，１１８，１１８（図４（ａ）参照。）を有する筐体を用いている。そして、筐体１１６の４つの光源ランプ受け部１１８，１１８，１１８，１１８のうち隣接する任意の２つの光源ランプ受け部に跨って配置可能な万能スペーサ１６０を準備しておき、少なくとも１つの万能スペーサ１６０を筐体１１６と光源ランプ１１０との間に配置した状態で筐体１１６に対して光源ランプ１１０を固定することによって、筐体１１６に対する光源ランプ１１０の光軸１１０ａｘの角度を調整することとしている。
【００３４】
このため、実施形態１に係る光源装置の光軸調整方法によれば、少なくとも１つの万能スペーサ１６０を筐体１１６と光源ランプ１１０との間に配置した状態で筐体１１６に対して光源ランプ１１０を固定するだけで、筐体１１６に対する光源ランプ１１０の光軸１１０ａｘの角度を調整することができるようになる。
なお、光源ランプ１１０における光軸１１０ａｘの角度の偏倚量は、同一ロットの光源ランプ間でほぼ一定の値となるため、同一ロットの光源ランプであれば、４つの光源ランプ受け部１１８，１１８，１１８，１１８のうちのどの部分に万能スペーサ１６０を配置すればよいかもある程度予想がつく。このため、上記調整作業は極めて容易なものとなる。
【００３５】
その結果、実施形態１に係る光源装置の光軸調整方法は、光源ランプ１１０の光軸１１０ａｘを調整するための複雑な機構を必要とせず、そのために大きな設置スペースや調整スペースを必要とせず、製造コストを高くすることもない光源装置の光軸調整方法となる。
【００３６】
なお、実施形態１に係る光源装置の光軸調整方法においては、筐体１１６に対する光源ランプ１１０の光軸１１０ａｘの角度を調整する光源装置の光軸調整方法であり、筐体１１６に対する光源ランプ１１０の光軸１１０ａｘのｘ軸ｙ軸面内における偏倚量を調整することはできない。
しかしながら、図５に示すように、筐体１１６に対する光源ランプ１１０の光軸１１０ａｘのｘ軸ｙ軸面内における偏倚量が光源ランプ１１０の相対光量に及ぼす影響は、筐体１１６に対する光源ランプ１１０の光軸１１０ａｘの振れ角が光源ランプ１１０の相対光量に与える影響と比較して、小さなものである。このことより、筐体１１６に対する光源ランプ１１０の光軸１１０ａｘのｘ軸ｙ軸面内における偏倚量を調整できなくとも、筐体１１６に対する光源ランプ１１０の光軸１１０ａｘの角度を調整すれば、光利用効率の大幅な低下を防止することができる。
【００３７】
実施形態１に係る光源装置の光軸調整方法においては、４つの光源ランプ受け部１１８，１１８，１１８，１１８のうち隣接するある特定の２つの光源ランプ受け部に跨って１つの万能スペーサ１６０を配置することのほか、この万能スペーサ１６０に直交するように別の万能スペーサ１６０を配置することもできる。これにより、光源ランプ１１０の光軸１１０ａｘを任意の角度だけ偏倚させることができるようになる。
【００３８】
実施形態１に係る光源装置の光軸調整方法においては、同一平面形状を有する万能スペーサ１６０を準備するだけで、筐体１１６に対する光源ランプ１１０の光軸１１０ａｘの角度を調整することができるため、上記調整作業をさらに容易なものとすることができる。
【００３９】
実施形態１に係る光源装置の光軸調整方法においては、図４（ｂ）に示すように、万能スペーサ１６０には、２つのねじ穴１６２，１６４が設けられている。
【００４０】
このため、実施形態１に係る光源装置の光軸調整方法によれば、図３に示すように、万能スペーサ１６０のねじ穴１６２，１６４を介して、筐体１１６に対して光源ランプ１１０をねじ締め固定することができるため、調整作業をさらに容易なものとすることができる。
この場合、ねじ穴１６２，１６４は、４つの光源ランプ受け部１１８，１１８，１１８，１１８のうちのどの部分に万能スペーサ１６０を配置する場合であっても、確実にねじ締めができるような位置に設けられている。
【００４１】
実施形態１に係る光源装置の光軸調整方法においては、図４（ｃ）に示すように、万能スペーサ１６０は、０．３ｍｍの肉厚を有する薄板状の形状をしている。
【００４２】
このため、実施形態１に係る光源装置の光軸調整方法によれば、角度調整量に応じた枚数の万能スペーサ１６０を筐体１１６と光源ランプ１１０との間に配置した状態で筐体１１６に対して光源ランプ１１０を固定することによって、筐体１１６に対する光源ランプ１１０の光軸１１０ａｘの角度を調整することができる。
なお、万能スペーサ１６０として、肉厚の異なるものを複数種類準備しておき、そのうち、角度調整量に応じた適当なものを選択して用いるようにすることもできる。
【００４３】
実施形態１に係る光源装置の光軸調整方法においては、万能スペーサ１６０は、アルミニウムからなる薄板部材を用いている。光源ランプ１１０の点灯中、光源ランプ１１０は極めて高温になるからである。
なお、万能スペーサ１６０として、ステンレス、ポリイミド樹脂等の他の耐熱性材料からなる薄板部材を用いることもできる。
【００４４】
上記したように、実施形態１に係る光源装置１０２は、実施形態１に係る光源装置の光軸調整方法を用いて光源装置の光軸調整がなされた光源装置であるため、光源ランプの光軸を調整するための複雑な機構を必要とせず、そのために大きな設置スペースや調整スペースを必要とせず、製造コストを高くすることもない光源装置の光軸調整方法によって調整された光源装置であるため、小型でコストの安価な光源装置となる。
【００４５】
また、上記したように、実施形態１に係るプロジェクタ１０００は、上記した実施形態１に係る光源装置１０２及び光源装置１０２からの光の面内光強度分布を均一化するインテグレータ光学系を有する照明光学系１００と、照明光学系１００からの光を画像情報に応じて変調する液晶装置４００Ｒ，４００Ｇ，４００Ｂと、液晶装置４００Ｒ，４００Ｇ，４００Ｂで変調された光を投写する投写光学系６００とを備えたプロジェクタである。このため、小型でコストの安価な光源装置を有する照明光学系を備えているため、小型でコストの安価なプロジェクタとなる。
【００４６】
〔実施形態２〕
図６は、実施形態２に係る光源装置の光軸調整方法に用いる筐体１１６及び万能スペーサ１７０を示す図である。図６（ａ）は筐体１１６に万能スペーサ１７０を配置した状態を説明するために示す模式図であり、図６（ｂ）は万能スペーサ１７０の平面図である。
【００４７】
実施形態２に係る光源装置の光軸調整方法は、実施形態１に係る光源装置の光軸調整方法と基本的には同様の方法によって光源装置の光軸調整を行うこととしているが、図６に示すように、万能スペーサ１７０の平面形状が、実施形態１の場合とは異なっている。
【００４８】
このように、実施形態２に係る光源装置の光軸調整方法は、用いる万能スペーサ１７０の平面形状が、実施形態１に係る光源装置の光軸調整方法の場合とは異なっているが、筐体１１６の４つの光源ランプ受け部１１８，１１８，１１８，１１８（図６（ａ）参照。）のうち隣接する任意の２つの光源ランプ受け部に跨って配置可能な万能スペーサ１７０を準備しておき、少なくとも１つの万能スペーサ１７０を筐体１１６と光源ランプ１１０との間に配置した状態で筐体１１６に対して光源ランプ１１０を固定することによって、筐体１１６に対する光源ランプ１１０の光軸の角度を調整するため、実施形態１に係る光源装置の光軸調整方法の場合と同様に、少なくとも１つの万能スペーサ１７０を筐体１１６と光源ランプ１１０との間に配置した状態で筐体１１６に対して光源ランプ１１０を固定するだけで、筐体１１６に対する光源ランプ１１０の光軸の角度を調整することができるようになる。
【００４９】
このため、実施形態２に係る光源装置の光軸調整方法も、実施形態１に係る光源装置の光軸調整方法と同様に、光源ランプの光軸を調整するための複雑な機構を必要とせず、そのために大きな設置スペースや調整スペースを必要とせず、製造コストを高くすることもない光源装置の光軸調整方法となる。
【００５０】
なお、実施形態２に係る光源装置の光軸調整方法においては、図６（ｂ）に示すように、万能スペーサ１７０には、２つのねじ用凹部１７２，１７４及び１つのねじ穴１７６が設けられている。
【００５１】
このため、実施形態２に係る光源装置の光軸調整方法によっても、万能スペーサ１７０のねじ用凹部１７２，１７４又はねじ穴１７６を介して、筐体１１６に対して光源ランプ１１０をねじ締め固定することができるため、調整作業をさらに容易なものとすることができる。ねじ用凹部１７２，１７４及びねじ穴１７６は、４つの光源ランプ受け部１１８，１１８，１１８，１１８のうちのどの部分に万能スペーサ１７０を配置する場合であっても、確実にねじ締めができるような位置に設けられている。
【００５２】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００５３】
（１）実施形態１に係るプロジェクタ１０００は透過型のプロジェクタであるが、本発明はこれに限定されるものではない。本発明を反射型のプロジェクタに適用した場合にも、透過型のプロジェクタに提供したのと同様の効果を得ることができる。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。
【００５４】
（２）実施形態１に係るプロジェクタ１０００は、電気光学変調装置として液晶装置を用いているが、本発明はこれに限定されるものではない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００５５】
（３）上記各実施形態の光源装置は、放物面リフレクタ及び発光管を有する光源ランプを備えた光源装置であるが、本発明はこれに限定されるものではない。光源装置として、楕円面リフレクタ及び発光管を有する光源ランプを備えた光源装置又はこれに平行化レンズをさらに備えた光源装置を用いた場合にも同様の効果を得ることができる。
【図面の簡単な説明】
【００５６】
【図１】実施形態１に係るプロジェクタ１０００及び光源装置１０２を説明するために示す図。
【図２】実施形態１に係る光源装置１０２を説明するために示す図。
【図３】実施形態１に係る光源装置１０２の分解斜視図。
【図４】実施形態１に係る光源装置の光軸調整方法に用いる筐体１１６及び万能スペーサ１６０を示す図。
【図５】実施形態１に係る光源装置１０２の光軸調整方法を説明するために示す図。
【図６】実施形態２に係る光源装置の光軸調整方法に用いる筐体１１６及び万能スペーサ１７０を示す図。
【図７】一般的なプロジェクタの照明光学系を説明するために示す図。
【図８】従来の光源装置の光軸調整方法を示す図。
【符号の説明】
【００５７】
１，１１０…光源ランプ、２，１１４…放物面リフレクタ、３，１１２…発光管、４…発光中心、５…発光管固定部、６…光源ランプ前面部、７…光源ランプ固定板、７ａ…開口、７ｂ…ガイドピン取り付け用孔、７ｃ…偏心カムガイド孔、７ｄ…切り欠き、７ｅ…下部ガイド孔、９…光源ランプ調整板、９ａ…ガイドピン用ガイド孔、９ｂ…偏心カム取り付け用孔、９ｃ…上部ガイド孔、９ｄ…凹部、１０…光源ランプ固定バネ、１１ａ，１１ｂ…固定ビス、１２…偏心カム、１３…ガイドピン、１４…筐体（上側筐体）、１４ａ…偏心カム操作用窓、１４ｂ…固定ビス操作用窓、１４ｃ…調整孔、１５…上部ガイドピン、１６…筐体（下側筐体）、１７…下部ガイドピン、１８…セメント、１９，１２０…第１レンズアレイ、２０，１３０…第２レンズアレイ、２１，１５０…重畳レンズ、２２，４００Ｒ，４００Ｇ，４００Ｂ…液晶装置、２３…偏心ドライバ、１００…照明光学系、１００ａｘ…照明光軸、１０２…光源装置、１１０ａｘ…光軸、１１６…筐体、１４０…偏光変換素子、１６０，１７０…万能スペーサ、１６２，１６４，１７６…ねじ穴、１７２，１７４…ねじ用凹部、２００…色分離導光光学系、２１０，２２０…ダイクロイックミラー、２３０，３２０，３４０…ミラー、３１０，３３０…リレーレンズ、２４０Ｂ，２４０Ｇ，３５０…フィールドレンズ、５００…クロスダイクロイックプリズム、６００…投写光学系、１０００…プロジェクタ
【図１】
2006126391.tif 000003
【図２】
2006126391.tif 000004
【図３】
2006126391.tif 000005
【図４】
2006126391.tif 000006
【図５】
2006126391.tif 000007
【図６】
2006126391.tif 000008
【図７】
2006126391.tif 000009
【図８】
2006126391.tif 000010